【手続補正書】
【提出日】平成29年9月29日(2017.9.29)
【手続補正１】
【補正対象書類名】明細書
【補正対象項目名】発明の名称
【補正方法】変更
【補正の内容】
【発明の名称】情報処理装置及びその制御方法
【手続補正２】
【補正対象書類名】明細書
【補正対象項目名】０００１
【補正方法】変更
【補正の内容】
【０００１】
本発明は、複数の電力状態を有する情報処理装置における電力制御の技術に関する。
【手続補正３】
【補正対象書類名】明細書
【補正対象項目名】０００８
【補正方法】変更
【補正の内容】
【０００８】
上記目的を達成するために本発明は、情報処理装置であって、前記情報処理装置を省電力状態に移行させる移行指示を受信したときに移行するべき省電力状態として、前記情報処理装置内の所定のデバイスに電力が供給される第１省電力状態、又は、前記所定のデバイスへの電力供給が停止される第２省電力状態を選択する第１選択手段と、前記情報処理装置を省電力状態から復帰させる復帰指示を受信したときに、前記情報処理装置を省電力状態から、前記所定のデバイスに電力が供給される第１通常電力状態、又は、前記所定のデバイスへの電力供給がされない第２通常電力状態に復帰する復帰手段と、前記第１選択手段によって前記第１省電力状態が選択された場合、前記復帰手段が前記情報処理装置を省電力状態から前記第２省電力状態に復帰するのを禁止する禁止手段と、を備えることを特徴とする。
【手続補正４】
【補正対象書類名】明細書
【補正対象項目名】００１２
【補正方法】変更
【補正の内容】
【００１２】
図１は、本発明の一実施の形態に係る情報処理装置としての画像形成装置のブロック図である。この画像形成装置１０００は、例えば、スキャナ機能、プリンタ機能及びファクシミリ機能を有する複合機として構成される。画像形成装置１０００は、モジュールとしてコントローラ１を有し、コントローラ１はメインボード１００とサブボード１２０とから構成される。
【手続補正５】
【補正対象書類名】特許請求の範囲
【補正対象項目名】全文
【補正方法】変更
【補正の内容】
【特許請求の範囲】
【請求項１】
情報処理装置であって、
前記情報処理装置を省電力状態に移行させる移行指示を受信したときに移行するべき省電力状態として、前記情報処理装置内の所定のデバイスに電力が供給される第１省電力状態、又は、前記所定のデバイスへの電力供給が停止される第２省電力状態を選択する第１選択手段と、
前記情報処理装置を省電力状態から復帰させる復帰指示を受信したときに、前記情報処理装置を省電力状態から、前記所定のデバイスに電力が供給される第１通常電力状態、又は、前記所定のデバイスへの電力供給がされない第２通常電力状態に復帰する復帰手段と、
前記第１選択手段によって前記第１省電力状態が選択された場合、前記復帰手段が前記情報処理装置を省電力状態から前記第２省電力状態に復帰するのを禁止する禁止手段と、を備えることを特徴とする情報処理装置。
【請求項２】
前記情報処理装置を省電力状態から復帰させる復帰指示を受信したときに移行するべき通常電力状態として、前記第１通常電力状態、又は、前記第２通常電力状態を選択する第２選択手段をさらに備え、
前記禁止手段は、前記第１選択手段によって前記第１省電力状態が選択された場合、前記第２選択手段が前記第２通常電力状態を選択できないように制御する、ことを特徴とする請求項１に記載の情報処理装置。
【請求項３】
前記情報処理装置を省電力状態から復帰させる復帰指示を受信したときに移行するべき通常電力状態として、前記第１通常電力状態、又は、前記第２通常電力状態を選択する画面を表示する表示手段をさらに備え、
前記禁止手段は、前記第１選択手段によって前記第１省電力状態が選択された場合、前記画面において、前記第２通常電力状態を選択できないように制御する、ことを特徴とする請求項１又は２に記載の情報処理装置。
【請求項４】
前記第２通常電力状態に復帰するよう設定されている状態で、前記第１選択手段によって前記第１省電力状態が選択されたことに基づいて、前記禁止手段は、前記復帰手段が前記情報処理装置を省電力状態から前記第１通常電力状態に復帰するよう設定する、ことを特徴とする請求項１乃至３の何れか１項に記載の情報処理装置。
【請求項５】
前記復帰手段が前記情報処理装置を省電力状態から前記第１通常電力状態に復帰するよう設定される場合に、ユーザに通知する通知手段をさらに備える、ことを特徴とする請求項４に記載の情報処理装置。
【請求項６】
前記所定のデバイスは、用紙に画像をプリントするプリンタ部である、ことを特徴とする請求項１乃至５の何れか１項に記載の情報処理装置。
【請求項７】
前記復帰手段は、前記情報処理装置を前記第２通常電力状態に復帰するときに、前記所定のデバイスの初期化処理を実行することなく、表示部を点灯し、前記表示部に表示された所定の画面の操作に基づいて、前記所定のデバイスの前記初期化処理を実行する、ことを特徴とする請求項１乃至６の何れか１項に記載の情報処理装置。
【請求項８】
前記復帰手段は、前記所定の画面の特定のボタンの操作に基づいて、前記所定のデバイスの前記初期化処理を実行する、ことを特徴とする請求項７に記載の情報処理装置。
【請求項９】
情報処理装置の制御方法であって、
前記情報処理装置を省電力状態に移行させる移行指示を受信したときに移行するべき省電力状態として、前記情報処理装置内の所定のデバイスに電力が供給される第１省電力状態、又は、前記所定のデバイスへの電力供給が停止される第２省電力状態を選択し、
前記情報処理装置を省電力状態から復帰させる復帰指示を受信したときに、前記情報処理装置を省電力状態から、前記所定のデバイスに電力が供給される第１通常電力状態、又は、前記所定のデバイスへの電力供給がされない第２通常電力状態に復帰し、
前記第１省電力状態が選択された場合、前記情報処理装置を省電力状態から前記第２省電力状態に復帰するのを禁止する、ことを特徴とする情報処理装置の制御方法。
【請求項１０】
情報処理装置であって、
表示手段と、
前記表示手段に、前記情報処理装置を省電力状態に移行させる移行指示を受信したときに移行するべき省電力状態として、前記情報処理装置内の所定のデバイスに電力が供給される第１省電力状態又は前記所定のデバイスへの電力供給が停止される第２省電力状態を選択する第１画面、及び、前記情報処理装置を省電力状態から復帰させる復帰指示を受信したときに移行するべき通常電力状態として、前記所定のデバイスに電力が供給される第１通常電力状態又は前記所定のデバイスへの電力供給がされない第２通常電力状態を選択する第２画面、を表示させる表示制御手段と、
前記第１画面で前記第１省電力状態が選択されたことに基づいて前記第２通常電力状態が選択できないようにし、前記第２画面で前記第２通常電力状態が選択されたことに基づいて前記第１省電力状態が選択できないようにする制御手段と、を備えることを特徴とする情報処理装置。
【請求項１１】
前記制御手段は、前記第１省電力状態が選択されている間、前記第２画面の前記第２通常電力状態が選択できないようにする、ことを特徴とする請求項１０に記載の情報処理装置。
【請求項１２】
前記制御手段は、前記第１省電力状態が選択されたことに基づいて、前記第２画面の前記第２通常電力状態が選択できないようにする、ことを特徴とする請求項１１に記載の情報処理装置。
【請求項１３】
前記制御手段は、前記第２通常電力状態が選択されている間、前記第１画面の前記第１省電力状態が選択できないようにする、ことを特徴とする請求項１０に記載の情報処理装置。
【請求項１４】
前記制御手段は、前記第２通常電力状態が選択されたことに基づいて、前記第１画面の前記第１省電力状態が選択できないようにする、ことを特徴とする請求項１３に記載の情報処理装置。
【請求項１５】
前記所定のデバイスは、用紙に画像をプリントするプリンタ部である、ことを特徴とする請求項１０乃至１４の何れか１項に記載の情報処理装置。
【請求項１６】
表示部と、
前記情報処理装置を前記第２通常電力状態に復帰するときに、前記所定のデバイスの初期化処理を実行することなく、前記表示部を点灯し、前記表示部に表示された所定の画面の操作に基づいて、前記所定のデバイスの前記初期化処理を実行する、復帰手段と、をさらに備えることを特徴とする請求項１０乃至１５の何れか１項に記載の情報処理装置。
【請求項１７】
前記復帰手段は、前記所定の画面の特定のボタンの操作に基づいて、前記所定のデバイスの前記初期化処理を実行する、ことを特徴とする請求項１６に記載の情報処理装置。
【請求項１８】
情報処理装置の制御方法であって、
前記情報処理装置を省電力状態に移行させる移行指示を受信したときに移行するべき省電力状態として、前記情報処理装置内の所定のデバイスに電力が供給される第１省電力状態又は前記所定のデバイスへの電力供給が停止される第２省電力状態を選択する第１画面を表示手段に表示し、
前記情報処理装置を省電力状態から復帰させる復帰指示を受信したときに移行するべき通常電力状態として、前記所定のデバイスに電力が供給される第１通常電力状態又は前記所定のデバイスへの電力供給がされない第２通常電力状態を選択する第２画面を前記表示手段に表示し、
前記第１画面で前記第１省電力状態が選択されたことに基づいて前記第２通常電力状態が選択できないようにし、前記第２画面で前記第２通常電力状態が選択されたことに基づいて前記第１省電力状態が選択できないようにする、ことを特徴とする情報処理装置の制御方法。